(57)【要約】      （修正有）【課題】筆記用具として使用することは勿論、同時に、携帯に便利なICカードあるいはその他の用途のカードの読み取り装置として使用することが可能であり、極めて利用価値が高い読み取り装置のついた筆記用具を提供する。【解決手段】筆記のための筆管１及び筆管本体のもう一方の端に接続された挿入接続管２からなり、該挿入接続管は、その内部に接続部分が取り付けてあり、該接続部分は、固定部分によって挿入接続管内に固定されていて、筆管本体と挿入接続管を離してそれぞれ独立して使用できる。さらに、接続部分には挿入接続管の一端に露出した差込部分及び挿入接続管の内部に設置されたカードスロット２１２がある。この挿入接続管は、その外側のカードスロットに穴があって、カードを挿入する時、この穴からカードスロット内に挿入して固定するようになっている。さらに、挿入接続管の一端に露出した差込部分は、一般のコンピューターあるいはその他のデバイスに接続して、カードを挿入することでインターフェースを通してやり取りし、データを読み取り、保存するようになっている。【選択図】図１
0003104609.tif 000002
【実用新案登録請求の範囲】
【請求項１】
筆管及び筆管の一方の端に接続した挿入接続管からなり、
この挿入接続管はその内部に接続部分があり、この接続部分は固定部分によって挿入接続管内に接続して組み立てられ、筆管は、挿入接続管と離してそれぞれ別々に独立した使用が可能であり、接続部分は、挿入接続管の一端に差込部分が露出していて、挿入接続管内にはカードスロットが設置されて、挿入接続管は、管本体の外側の、カードスロットに対応する位置に穴があって、ICカードがこの穴からカードスロットの中に入るようになっていて、挿入接続管の一端に露出した差込部分は、一般のコンピューターあるいはその他のデバイスに接続して、カードを挿入することでインターフェースを通してやり取りし、データを読み取り、保存するという特長を持つ、読み取り装置のついた筆記用具。
【請求項２】
固定部分の一端は、はめ込むような構造になっているか、ねじ式で、筆管本体と接続されて一本の筆記用具となるという特長を持つ、請求項１に記載の読み取り装置のついた筆記用具。
【請求項３】
挿入接続管は、一端にクリップが取り付けられていて、このクリップは、挿入接続管の一端にあるキャップによって止められ、脱落することがなく、クリップを回転させて、カードスロットをふたすることができるという特長を持つ、請求項１に記載の読み取り装置のついた筆記用具。
【請求項４】
差込部分は標準のUSBプラグあるいは１３９４ファイアワイア（Firewire）プラグでも可能であるという特長を持つ、請求項１に記載の読み取り装置のついた筆記用具。
【請求項５】
挿入するカードが、SIMカード、SDカード、MMCカード、メモリスティック（Memory Stick）カード、コンパクトフラッシュ（Compact Flash）カード、XDカード、PCMCIAカード、スマートメディア（Smart Media）カードなどの各種規格のメモリ用途として使用するICカードでも可能であるという特長を持つ、請求項１に記載の読み取り装置のついた筆記用具。
【請求項６】
挿入するカードは、無線データ通信デバイスのカードでも可能であり、挿入接続管のカードスロットに挿入して、露出した差込部分によって、一般のコンピューターやその他のデバイスの接続装置に挿入して、無線接続によるインターフェースとすることも可能であるという特長を持つ、請求項１に記載の読み取り装置のついた筆記用具。
【考案の詳細な説明】
【技術分野】
【０００１】
本考案は筆記用具に関する。本考案の筆記用具は読み取り装置と結合させてある。
【背景技術】
【０００２】
現在市販されているデータ保存の用途に使用されるICカードは、種類が非常に多く、例えば、SIMカード、SDカード、MMCカード、メモリスティック（Memory Stick）カード、コンパクトフラッシュ（Compact Flash）カード、XDカード、PCMCIAカード、スマートメディア（Smart Media）カードなどがある。これらは直接互換性のあるデバイスのインターフェースを通して直接やり取りする。しかしながら、一般のコンピューターあるいはその他のデバイスとはやり取りできず、外付けの読み取り装置によってインターフェースに接続してやり取りして、データを読み取ったり、保存したりする必要がある。また、市販されている単一機能の読み取り装置や複合式の読取装置は、その体積が大きく、携帯に不便であるため、けっして理想的だとは言えない。
【考案の開示】
【考案が解決しようとする課題】
【０００３】
本考案が解決しようとする課題は、筆記用具として使用することは勿論、同時に、携帯に便利なICカードあるいはその他の用途のカードの読み取り装置として使用することが可能であり、極めて利用価値が高い読み取り装置のついた筆記用具を提供することを目的とする。
【課題を解決するための手段】
【０００４】
本考案の 読み取り装置のついた筆記用具は、筆記のための筆管及び筆管本体のもう一方の端に接続された挿入接続管からなる。この挿入接続管は、その内部に接続部分が取り付けてある。この接続部分は、固定部分によって挿入接続管内に固定されていて、筆管本体と挿入接続管を離してそれぞれ独立して使用できるようになっている。さらに、接続部分には挿入接続管の一端に露出した差込部分及び挿入接続管の内部に設置されたカードスロットがある。この挿入接続管は、その外側のカードスロットに穴があって、カードを挿入する時、この穴からカードスロット内に挿入して固定するようになっている。さらに、挿入接続管の一端に露出した差込部分は、一般のコンピューターあるいはその他のデバイスに接続して、カードを挿入することでインターフェースを通してやり取りし、データを読み取り、保存するようになっている。この構造により、筆記用具としても使用できる上に、同時に、携帯に便利なICカードあるいはその他の用途のカードの読み取り装置として使用することが可能である。
【０００５】
本考案の読み取り装置のついた筆記用具は、実用新案登録請求の範囲の請求項１に記載のとおり、筆管及び筆管の一方の端に接続した挿入接続管からなり、この挿入接続管はその内部に接続部分があり、この接続部分は固定部分によって挿入接続管内に接続して組み立てられ、筆管は、挿入接続管と離してそれぞれ別々に独立した使用が可能であり、接続部分は、挿入接続管の一端に差込部分が露出していて、挿入接続管内にはカードスロットが設置されて、挿入接続管は、管本体の外側の、カードスロットに対応する位置に穴があって、ICカードがこの穴からカードスロットの中に入るようになっていて、挿入接続管の一端に露出した差込部分は、一般のコンピューターあるいはその他のデバイスに接続して、カードを挿入することでインターフェースを通してやり取りし、データを読み取り、保存するという特長を持つ。
【０００６】
本考案の読み取り装置のついた筆記用具は、実用新案登録請求の範囲の請求項２に記載のとおり、上記請求項１において、固定部分の一端は、はめ込むような構造になっているか、ねじ式で、筆管本体と接続されて一本の筆記用具となるという特長を持つ。
【０００７】
本考案の読み取り装置のついた筆記用具は、実用新案登録請求の範囲の請求項３に記載のとおり、上記請求項１において、挿入接続管は、一端にクリップが取り付けられていて、このクリップは、挿入接続管の一端にあるキャップによって止められ、脱落することがなく、クリップを回転させて、カードスロットをふたすることができるという特長を持つ。
【０００８】
本考案の読み取り装置のついた筆記用具は、実用新案登録請求の範囲の請求項４に記載のとおり、上記請求項１において、差込部分は標準のUSBプラグあるいは１３９４ファイアワイア（Firewire）プラグでも可能であるという特長を持つ。
【０００９】
本考案の読み取り装置のついた筆記用具は、実用新案登録請求の範囲の請求項５に記載のとおり、上記請求項１において、挿入するカードが、SIMカード、SDカード、MMCカード、メモリスティック（Memory Stick）カード、コンパクトフラッシュ（Compact Flash）カード、XDカード、PCMCIAカード、スマートメディア（Smart Media）カードなどの各種規格のメモリ用途として使用するICカードでも可能であるという特長を持つ。
【００１０】
本考案の読み取り装置のついた筆記用具は、実用新案登録請求の範囲の請求項６に記載のとおり、上記請求項１において、挿入するカードは、無線データ通信デバイスのカードでも可能であり、挿入接続管のカードスロットに挿入して、露出した差込部分によって、一般のコンピューターやその他のデバイスの接続装置に挿入して、無線接続によるインターフェースとすることも可能であるという特長を持つ。
【考案の効果】
【００１１】
本考案の読み取り装置のついた筆記用具は、ICカード 読み取り装置と結合させるという目的に基づいている。携帯に便利であり、実用性が高い。
本考案の読み取り装置のついた筆記用具は、筆記に使用する筆管に、着脱可能な挿入接続管を組み合わせている。その挿入接続管は内部に各種規格のICカードあるいはその他の用途のカードを挿入する接続装置が設置されている。したがって、筆記用具として使用することは勿論、同時に、携帯に便利なICカードあるいはその他の用途のカードの読み取り装置として使用することが可能であるため、極めて利用価値が高い。
【考案を実施するための最良の形態】
【００１２】
図１から図１０を参照いただきたい。本考案の読み取り装置のついた筆記用具は、筆管１及び挿入接続管２からなる。
この筆管１は手で握るようになっていて、一方の端には筆記するための芯１１があり、もう一方の端には挿入接続管２が接続されている。この挿入接続管２はその内部に接続部分２１があり、この接続部分２１は固定部分２２によって挿入接続管２内に接続して組み立てられる。さらに、固定部分２２の一端は、はめ込むような構造になっているか、ねじ式で、筆管本体１と接続されて一本の筆記用具となる（図にはねじ式の構造を例として示している）。このような構造の筆管１は、挿入接続管２と離してそれぞれ別々に独立した使用が可能である。
【００１３】
図３から図６を参照いただきたい。上述の接続部分２１は、挿入接続管２の一端に差込部分２１１が露出していて（挿入接続管２の下端あるいは上端）、この差込部分２１１は標準のUSBプラグあるいは１３９４ファイアワイア（Firewire）プラグでも可能で、挿入接続管２が一般のコンピューターあるいはその他のデバイスに接続してインターフェースとしてやり取りできる。
【００１４】
また、この接続部分２１にはカードスロット２１２があり、SIMカード、SDカード、MMCカード、Memory Stickカード、Compact Flashカード、XDカード、PCMCIAカード、Smart Mediaカードなどの各種規格のICカード３を挿入できるようになっている（図７及び図８を参照いただきたい）。あるいは、その他の用途のカード挿入式のデバイスに適用する。そして、このカードスロット２１２の規格はカードに応じて設計可能であるため、カードに合わせて製作することが可能である。
【００１５】
もう一度、図１及び図２を参照いただきたい。この挿入接続管２は、管本体の外側の、カードスロット２１２に対応する位置に穴２３があって、ICカード３がこの穴２３からカードスロット２１２の中に入るようになっている。また、この挿入接続管２は、一端にクリップ２４が取り付けられていて、このクリップ２４は、挿入接続管2の一端にあるキャップ２５によって止められ、クリップ２４は安定して挿入接続管２の側面を軸回転して、脱落することがない。したがって、図９に示すように、挿入接続管２にICカード３が挿入されない時は、クリップ２４を回転させて、カードスロット２１２をふたすることができ、一般の筆記用具の形態をなす。
【００１６】
上述の説明からわかるように、本考案の読み取り装置のついた筆記用具は、普段は筆記用具として携帯し、ICカード３あるいはその他の用途のカードを読み取り装置として使用する際は、挿入接続管２を筆管１から分離させて、挿入接続管２の差込部分２１１を露出させる。当然ながら、図４及び図６に示した差込部分２１１が、挿入接続管２の上端にある時は、キャップ２５を外して、差込部分２１１を挿入接続管２の側面に露出させる。この時、クリップ２４は、軸回転して、カードスロット２１２をふたしないので、ICカード３はカードスロット２１２の中に挿入して固定される。このように、図１０に示すように、挿入接続管２２露出した差込部分２１１によって、一般のコンピューターやその他のデバイスの接続装置に接続される。そうして、ICカード３は一般のコンピューターやその他のデバイスとインターフェースアクセスして、読み取りや保存を行なう。
【００１７】
また、本考案の上述のその他の用途のカードは、無線データ通信デバイスでも可能であり、ICカード３の成功でコンパクトなモデルにできる。挿入接続管２の接続部分２１に挿入することにより、この挿入接続管２は、露出した差込部分２１１を利用して、一般のコンピューターやその他のデバイスの接続装置に挿入して、無線接続によるインターフェースとすることも可能である。
【００１８】
さらに、本考案は、図１１の実施例にように、回転しないクリップ２４にカードスロット２１２に対応する穴２４１を開けてある。このように、ICカード３あるいはその他の用途のカードは、この穴２４１によって挿入され、カードスロット２１２に固定される。この時、キャップ２５は外される。差込部分２１１は挿入接続管２の側面に露出する。そうして、挿入接続管２に露出した差込部分２１１を利用して、一般コンピューターあるいはその他のデバイスの接続装置に挿入されて、やり取りして、データを読み取り、保存するのである。
【図面の簡単な説明】
【００１９】
【図１】本考案の外観図である。
【図２】本考案の関連パーツの分解見取り図である。
【図３】本考案の挿入接続管を組み立てて接続インターフェースとした実施例図である。
【図４】本考案の挿入接続管上端側面にUSBプラグを取り付けた状態を示した図である。
【図５】本考案の挿入接続管下端側面に1394ファイアワイア（Firewire）プラグを取り付けた状態を示した図である。
【図６】本考案の挿入接続管上端側面に1394ファイアワイア（Firewire）プラグを取り付けた状態を示した図である。
【図７】本考案が各種規格のICカードの挿入に適用する例を示した見取り図一である。
【図８】本考案が各種規格のICカードの挿入に適用する例を示した見取り図二である。
【図９】本考案の挿入接続管にクリップ部分が取り付けられ、カードスロットを蓋した状態を示した実施例である。
【図１０】本考案の接続管が接続インターフェースとして一般のコンピューターに接続した実施例である。
【図１１】本考案のもう一つの実施例の外観図である。
【符号の説明】
【００２０】
１      筆管
１１    芯
２      挿入接続管
２１    接続部分
２１１  差込部分
２１２  カードスロット
２２    固定部分
２３    スロット穴
２４    クリップ部分
２４１  スロット穴
２５    キャップ
３    ICカード
【図１】
0003104609.tif 000003
【図２】
0003104609.tif 000004
【図３】
0003104609.tif 000005
【図４】
0003104609.tif 000006
【図５】
0003104609.tif 000007
【図６】
0003104609.tif 000008
【図７】
0003104609.tif 000009
【図８】
0003104609.tif 000010
【図９】
0003104609.tif 000011
【図１０】
0003104609.tif 000012
【図１１】
0003104609.tif 000013
【手続補正書】
【提出日】平成16年4月23日(2004.4.23)
【手続補正１】
【補正対象書類名】実用新案登録請求の範囲
【補正対象項目名】請求項１
【補正方法】変更
【補正の内容】
【請求項１】
筆管及び筆管の一方の端に接続した挿入接続管からなり、
この挿入接続管はその内部に接続部分があり、この接続部分は固定部分によって挿入接続管内に接続して組み立てられ、筆管は、挿入接続管と離してそれぞれ別々に独立した使用が可能であり、接続部分は、挿入接続管の一端に差込部分が露出していて、挿入接続管内にはカードスロットが設置されて、挿入接続管は、管本体の外側の、カードスロットに対応する位置に穴があって、ICカードがこの穴からカードスロットの中に入るようになっていて、挿入接続管の一端に露出した差込部分は、コンピューターあるいはその他のデバイスに接続して、カードを挿入することでインターフェースを通してやり取りし、データを読み取り、保存するという特長を持つ、読み取り装置のついた筆記用具。
【手続補正２】
【補正対象書類名】実用新案登録請求の範囲
【補正対象項目名】請求項４
【補正方法】変更
【補正の内容】
【請求項４】
差込部分は標準のUSBプラグあるいはＩＥＥＥ１３９４プラグでも可能であるという特長を持つ、請求項１に記載の読み取り装置のついた筆記用具。
【手続補正３】
【補正対象書類名】実用新案登録請求の範囲
【補正対象項目名】請求項５
【補正方法】変更
【補正の内容】
【請求項５】
挿入するカードが、SIMカード、SDカード、MMCカード、メモリスティック(Memory Stick)カード、メモリカード、XDカード、PCMCIAカード、スマートメディア(Smart
Media)カードなどの各種規格のメモリ用途として使用するICカードでも可能であるという特長を持つ、請求項１に記載の読み取り装置のついた筆記用具。
【手続補正４】
【補正対象書類名】実用新案登録請求の範囲
【補正対象項目名】請求項６
【補正方法】変更
【補正の内容】
【請求項６】
挿入するカードは、無線データ通信デバイスのカードでも可能であり、挿入接続管のカードスロットに挿入して、露出した差込部分によって、コンピューターやその他のデバイスの接続装置に挿入して、無線接続によるインターフェースとすることも可能であるという特徴を持つ、聖急行１に記載の読み取り装置のついた筆記用具。
【手続補正５】
【補正対象書類名】明細書
【補正対象項目名】０００２
【補正方法】変更
【補正の内容】
【０００２】
現在市販されているデータ保存の用途に使用されるICカードは、種類が非常に多く、例えば、SIMカード、SDカード、MMCカード、メモリスティック(Memory Stick)カード、メモリカード、XDカード、PCMCIAカード、スマートメディア(Smart
Media)カードなどがある。これらは直接互換性のあるデバイスのインターフェースを通して直接やり取りする。しかしながら、コンピューターあるいはその他のデバイスとはやり取りできず、外付けの読み取り装置によってインターフェースに接続してやり取りして、データを読み取ったり、保存したりする必要がある。また、市販されている単一機能の読み取り装置や複合式の読取装置は、その体積が大きく、携帯に不便であるため、けっして理想的だとは言えない。
【手続補正６】
【補正対象書類名】明細書
【補正対象項目名】０００４
【補正方法】変更
【補正の内容】
【０００４】
本考案の
読み取り装置のついた筆記用具は、筆記のための筆管及び筆管本体のもう一方の端に接続された挿入接続管からなる。この挿入接続管は、その内部に接続部分が取り付けてある。この接続部分は、固定部分によって挿入接続管内に固定されていて、筆管本体と挿入接続管を離してそれぞれ独立して使用できるようになっている。さらに、接続部分には挿入接続管の一端に露出した差込部分及び挿入接続管の内部に設置されたカードスロットがある。この挿入接続管は、その外側のカードスロットに穴があって、カードを挿入する時、この穴からカードスロット内に挿入して固定するようになっている。さらに、挿入接続管の一端に露出した差込部分は、コンピューターあるいはその他のデバイスに接続して、カードを挿入することでインターフェースを通してやり取りし、データを読み取り、保存するようになっている。この構造により、筆記用具としても使用できる上に、同時に、携帯に便利なICカードあるいはその他の用途のカードの読み取り装置として使用することが可能である。
【手続補正７】
【補正対象書類名】明細書
【補正対象項目名】０００５
【補正方法】変更
【補正の内容】
【０００５】
本考案の読み取り装置のついた筆記用具は、実用新案登録請求の範囲の請求項１に記載のとおり、筆管及び筆管の一方の端に接続した挿入接続管からなり、この挿入接続管はその内部に接続部分があり、この接続部分は固定部分によって挿入接続管内に接続して組み立てられ、筆管は、挿入接続管と離してそれぞれ別々に独立した使用が可能であり、接続部分は、挿入接続管の一端に差込部分が露出していて、挿入接続管内にはカードスロットが設置されて、挿入接続管は、管本体の外側の、カードスロットに対応する位置に穴があって、ICカードがこの穴からカードスロットの中に入るようになっていて、挿入接続管の一端に露出した差込部分は、コンピューターあるいはその他のデバイスに接続して、カードを挿入することでインターフェースを通してやり取りし、データを読み取り、保存するという特長を持つ。
【手続補正８】
【補正対象書類名】明細書
【補正対象項目名】０００８
【補正方法】変更
【補正の内容】
【０００８】
本考案の読み取り装置のついた筆記用具は、実用新案登録請求の範囲の請求項４に記載のとおり、上記請求項１において、差込部分は標準のUSBプラグあるいはＩＥＥＥ１３９４プラグでも可能であるという特長を持つ。
【手続補正９】
【補正対象書類名】明細書
【補正対象項目名】０００９
【補正方法】変更
【補正の内容】
【０００９】
本考案の読み取り装置のついた筆記用具は、実用新案登録請求の範囲の請求項５に記載のとおり、上記請求項１において、挿入するカードが、SIMカード、SDカード、MMCカード、メモリスティック（Memory Stick）カード、メモリカード、XDカード、PCMCIAカード、スマートメディア(Smart
Media)カードなどの各種規格のメモリ用途として使用するICカードでも可能であるという特長を持つ。
【手続補正１０】
【補正対象書類名】明細書
【補正対象項目名】００１０
【補正方法】変更
【補正の内容】
【００１０】
本考案の読み取り装置のついた筆記用具は、実用新案登録請求の範囲の請求項６に記載のとおり、上記請求項１において、挿入するカードは、無線データ通信デバイスのカードでも可能であり、挿入接続管のカードスロットに挿入して、露出した差込部分によって、コンピューターやその他のデバイスの接続装置に挿入して、無線接続によるインターフェースとすることも可能であるという特長を持つ。
【手続補正１１】
【補正対象書類名】明細書
【補正対象項目名】００１３
【補正方法】変更
【補正の内容】
【００１３】
図３から図６を参照いただきたい。上述の接続部分２１は、挿入接続管２の一端に差込部分２１１が露出していて（挿入接続管２の下端あるいは上端）、この差込部分２１１は標準のUSBプラグあるいはＩＥＥＥ１３９４プラグでも可能で、挿入接続管２がコンピューターあるいはその他のデバイスに接続してインターフェースとしてやり取りできる。
【手続補正１２】
【補正対象書類名】明細書
【補正対象項目名】００１４
【補正方法】変更
【補正の内容】
【００１４】
また、この接続部分２１にはカードスロット２１２があり、SIMカード、SDカード、MMCカード、Memory Stickカード、メモリカード、XDカード,PCMCIAカード、Smart
Mediaカードなどの各種規格のICカード３を挿入できるようになっている（図７及び図８を参照いただきたい）。あるいは、その他の用途のカード挿入式のデバイスに適用する。そして、このカードスロット２１２の規格はカードに応じて設計可能であるため、カードに合わせて製作することが可能である。
【手続補正１３】
【補正対象書類名】明細書
【補正対象項目名】００１６
【補正方法】変更
【補正の内容】
【００１６】
上述の説明からわかるように、本考案の読み取り装置のついた筆記用具は、普段は筆記用具として携帯し、ICカード３あるいはその他の用途のカードを読み取り装置として使用する際は、挿入接続管２を筆管１から分離させて、挿入接続管２の差込部分２１１を露出させる。当然ながら、図４及び図６に示した差込部分２１１が、挿入接続管２の上端にある時は、キャップ２５を外して、差込部分２１１を挿入接続管２の側面に露出させる。この時、クリップ２４は、軸回転して、カードスロット２１２をふたしないので、ICカード３はカードスロット２１２の中に挿入して固定される。このように、図１０に示すように、挿入接続管２２露出した差込部分２１１によって、コンピューターやその他のデバイスの接続装置に接続される。そうして、ICカード３はコンピューターやその他のデバイスとインターフェースアクセスして、読み取りや保存を行なう。
【手続補正１４】
【補正対象書類名】明細書
【補正対象項目名】００１７
【補正方法】変更
【補正の内容】
【００１７】
また、本考案の上述のその他の用途のカードは、無線データ通信デバイスでも可能であり、ICカード３の成功でコンパクトなモデルにできる。挿入接続管２の接続部分２１に挿入することにより、この挿入接続管２は、露出した差込部分２１１を利用して、コンピューターやその他のデバイスの接続装置に挿入して、無線接続によるインターフェースとすることも可能である。
【手続補正１５】
【補正対象書類名】明細書
【補正対象項目名】００１８
【補正方法】変更
【補正の内容】
【００１８】
さらに、本考案は、図１１の実施例のように、回転しないクリップ２４にカードスロット２１２に対応する穴２４１を開けてある。このように、ICカード３あるいはその他の用途のカードは、この穴２４１によって挿入され、カードスロット２１２に固定される。この時、キャップ２５は外される。差込部分２１１は挿入接続管２の側面に露出する。そうして、挿入管２に露出した差込部分２１１を利用して、コンピューターあるいはその他のデバイスの接続装置に挿入されて、やり取りして、データを読み取り、保存するのである。
【手続補正１６】
【補正対象書類名】明細書
【補正対象項目名】００１９
【補正方法】変更
【補正の内容】
【００１９】
【図１】本考案の外観図である。
【図２】本考案の関連パーツの分解見取り図である。
【図３】本考案の挿入接続管を組み立てて接続インターフェースとした実施例図である。
【図４】本考案の挿入接続管上端側面にUSBプラグを取り付けた状態を示した図である。
【図５】本考案の挿入接続管下端側面にＩＥＥＥ１３９４プラグを取り付けた状態を示した図である。
【図６】本考案の挿入接続管上端側面にＩＥＥＥ１３９４プラグを取り付けた状態を示した図である。
【図７】本考案が各種規格のICカードの挿入に適用する例を示した見取り図一である。
【図８】本考案が各種規格のICカードの挿入に適用する例を示した見取り図二である。
【図９】本考案の挿入接続管にクリップ部分が取り付けられ、カードスロットを蓋した状態を示した実施例である。
【図１０】本考案の接続管が接続インターフェースとしてコンピューターに接続した実施例である。
【手続補正書】
【提出日】平成16年4月26日(2004.4.26)
【手続補正１】
【補正対象書類名】実用新案登録請求の範囲
【補正対象項目名】請求項５
【補正方法】変更
【補正の内容】
【請求項５】
挿入するカードが、SIMカードあるいはPCMCIAカードなどの市販されている各種規格のメモリ用途として使用されるICカードでも可能であるという特長を持つ、請求項１に記載の読み取り装置のついた筆記用具。
【手続補正２】
【補正対象書類名】明細書
【補正対象項目名】０００２
【補正方法】変更
【補正の内容】
【０００２】
現在市販されているデータ保存の用途に使用されるICカードは、種類が非常に多く、例えば、SIMカード、SD（登録商標）カード、MMC（登録商標）カード、メモリスティック（Memory
Stick）（登録商標）カード、コンパクトフラッシュ（Compact Flash）（登録商標）カード、XD（登録商標）カード、PCMCIAカード、スマートメディア（Smart
Media）（登録商標）カードなどがある。これらは直接互換性のあるデバイスのインターフェースを通して直接やり取りする。しかしながら、コンピューターあるいはその他のデバイスとはやり取りできず、外付けの読み取り装置によってインターフェースに接続してやり取りして、データを読み取ったり、保存したりする必要がある。また、市販されている単一機能の読み取り装置や複合式の読取装置は、その体積が大きく、携帯に不便であるため、けっして理想的だとは言えない。
【手続補正３】
【補正対象書類名】明細書
【補正対象項目名】０００９
【補正方法】変更
【補正の内容】
【０００９】
本考案の読み取り装置のついた筆記用具は、実用新案登録請求の範囲の請求項５に記載のとおり、上記請求項１において、挿入するカードが、SIMカードあるいはPCMCIAカードなどの市販されている各種規格のメモリ用途として使用されているICカードでも可能であるという特長を持つ。
【手続補正４】
【補正対象書類名】明細書
【補正対象項目名】００１４
【補正方法】変更
【補正の内容】
【００１４】
また、この接続部分２１にはカードスロット２１２があり、SIM（登録商標）カード、SD（登録商標）カード、MMC（登録商標）カード、メモリスティック（Memory
Stick）（登録商標）カード、コンパクトフラッシュ（Compact Flash）（登録商標）カード、XD（登録商標）カード,PCMCIAカード、スマートメディア（Smart
Media）（登録商標）カードなどの市販の各種規格のICカード３を挿入できるようになっている（図７及び図８を参照いただきたい）。あるいは、その他の用途のカード挿入式のデバイスに適用する。そして、このカードスロット２１２の規格はカードに応じて設計可能であるため、カードに合わせて製作することが可能である。
【手続補正書】
【提出日】平成16年7月1日(2004.7.1)
【手続補正１】
【補正対象書類名】手続補正書
【補正対象項目名】手続補正１６
【補正方法】変更
【補正の内容】
【手続補正１６】
【補正対象書類名】明細書
【補正対象項目名】００１９
【補正方法】変更
【補正の内容】
【００１９】
【図１】本考案の外観図である。
【図２】本考案の関連パーツの分解見取り図である。
【図３】本考案の挿入接続管を組み立てて接続インターフェースとした実施例図である。
【図４】本考案の挿入接続管上端側面にUSBプラグを取り付けた状態を示した図である。
【図５】本考案の挿入接続管下端側面にＩＥＥＥ１３９４プラグを取り付けた状態を示した図である。
【図６】本考案の挿入接続管上端側面にＩＥＥＥ１３９４プラグを取り付けた状態を示した図である。
【図７】本考案が各種規格のICカードの挿入に適用する例を示した見取り図一である。
【図８】本考案が各種規格のICカードの挿入に適用する例を示した見取り図二である。
【図９】本考案の挿入接続管にクリップ部分が取り付けられ、カードスロットを蓋した状態を示した実施例である。
【図１０】本考案の接続管が接続インターフェースとしてコンピューターに接続した実施例である。
【図１１】本考案のもう一つの実施例の外観図である。